(57)【要約】【課題】ユーザによって容易に破壊可能な記録媒体とカートリッジとを提供し、記録媒体が有する著作権の不正使用や、重要、機密ファイルの流出を防ぐ。【解決手段】基板２の片面２ａ側に記録膜４が形成され、基板２の他面２ｂ側には、外部応力を加えることによって複数に破壊可能な少なくとも１本のＶ字溝１が設けられている光ディスク１１。Ｖ字溝１が基板２の中心を通る直線上に設けられている。Ｖ字溝１が複数本平行して設けられている。光ディスク１を収納するカートリッジであって、光ディスク１を収納する筐体の一部に、収納した光ディスク１を露出させる開口部が形成され、この開口部を閉塞および開口するようにスライド移動可能となされたシャッターが設けられ、シャッターをスライド移動させて開口部を開口させた状態で、外部応力を加えることによって複数に破壊可能な少なくとも１本の切り込みが設けられている。【選択図】  図１
2004326895.tif 000002
【特許請求の範囲】
【請求項１】
基板の片面側に記録膜が形成され、基板の他面側には、外部応力を加えることによって複数に破壊可能な少なくとも１本の切り込みが設けられていることを特徴とする記録媒体。
【請求項２】
切り込みが断面略Ｖ字型の溝状となされ、基板の中心を通る直線上に設けられている請求項１記載の記録媒体。
【請求項３】
複数本の平行する切り込みが設けられている請求項１記載の記録媒体。
【請求項４】
基板の片面側に記録膜が形成された記録媒体を収納するカートリッジであって、
記録媒体を収納する筐体の一部に、収納した記録媒体を露出させる開口部が形成されるとともに、この開口部を閉塞および開口するようにスライド移動可能となされたシャッターが設けられ、
シャッターをスライド移動させて開口部を開口させた状態で、外部応力を加えることによって複数に破壊可能な少なくとも１本の切り込みが設けられていることを特徴とするカートリッジ。
【発明の詳細な説明】
【０００１】
【発明の属する技術分野】
本発明は、コンパクトディスク（ＣＤ）やデジタルバーサタイルディスク（ＤＶＤ）などの記録媒体と、これを収納するカートリッジとに関するものであり、不要になった場合に、容易に破砕することを可能とするものである。
【０００２】
【従来の技術】
近年、大容量の情報を記録できるコンパクトディスク（ＣＤ）やデジタルバーサタイルディスク（ＤＶＤ）などの光ディスクの普及はめざましいものがある。特に音楽や映像、データベース、コンピュータプログラムなどの情報を微細な凹凸パターン（いわゆるピット）として記録した基板の上にアルミニウムなどの金属反射層と保護層を設けた再生専用型光ディスクは、大量且つ安価に製造できるため膨大な数のディスクが製造され、広く普及している。また、追記記録が出来るＣＤ−Ｒ、ＤＶＤ−Ｒや書換可能なＣＤ−ＲＷ、ＤＶＤ−ＲＡＭなどの光ディスクも普及しつつある。
【０００３】
このような光ディスクの中で、特に音楽ＣＤやパソコン用のＣＤ−ＲＯＭなどの再生専用光ディスクの生産量は膨大なものであり、各家庭、個人で保管されているこのような光ディスクの枚数もかなりの数になってきている。このように光ディスクが普及するにつれ、当然ながら各家庭、個人が保有している光ディスクの中でも使用しなくなった光ディスクがかなりの数になっている。
【０００４】
従来、このような不要な光ディスクは、家庭内やオフィス内でそのまま放置されているか、一般ゴミと共に廃棄されている。しかしながら、ディスク形態を保持したまま回収された場合、ＣＤなどは中に記録されている情報が、著作権の対象となる音楽や画像、データ、コンピュータプログラムであるため、廃棄する本人にとっては不要のものであっても、廃棄された光ディスクを正当に利用する権利のない第三者によって使用される恐れがある。また、書き換え型、書き込み型メディアにおいては、デジタル情報の中には、機密性の高い情報が含まれる事が多く、これを廃棄する時には、他者に読みとられないように書き換え、消去、粉砕などの方法を取る必要があった。一般的には、ＰＣ用ハードディスクがあり、これの場合、専用のデータ消去アプリケーションによりデータを消去、或いは再フォーマット（物理的に）を実行することによって、初期化する等の方法が取られているが、これらの方法は、ＣＤ−ＲＯＭ、ＤＶＤ−ＶｉｄｅｏなどのＲＯＭタイプ、又は１度だけ書き込み可能なＣＤ−Ｒ、ＤＶＤ−Ｒに適用する事は出来ない。
【０００５】
そのため、音楽用ＣＤ、データＣＤ、ＤＶＤ、上記ＣＤ−Ｒ（一度書き込まれた状態）のような書き換え、書き込みの出来ないディスクなどで、重要なファイルが含まれ、厳重な廃棄が必要なディスクに対しては、例えば記録層（反射膜）を溶解、又は破損させる方法（特許文献１、２、３）、又は基板を溶解させる方法（特許文献４）、等が提案されている。最近では、ＣＤ専用の破砕機によって廃棄されている。
【０００６】
【特許文献１】
特開平１０−３７００号公報
【特許文献２】
特開平１０−２６９６３４号公報
【特許文献３】
特開２００１−２７０６０１号公報
【特許文献４】
特開２０００−１０５９４５号公報
【０００７】
【発明が解決しようとする課題】
しかしながら、上記の方法は、特別な機械（例えば、マイクロ波発生機）を必要とする等、ユーザの手で簡単に記録ディスクを破壊する事は出来なかった。専用の破砕装置についても、高価で、業務用のように数多くの媒体を破壊する必要がない一般ユーザには、手の出せるものでは無かった。これらの原因により、破壊される事なく、プラスチック塵として、捨てられるため、データ破壊が十分でない場合も多々あった。
【０００８】
本発明は上記の問題点を解決するためになされたもので、その目的は、ユーザの手によって、容易に破壊可能な記録媒体を提供し、廃棄された記録媒体が有している著作権の不正使用や情報の漏洩を防ぐことにある。
【０００９】
【課題を解決するための手段】
上記の課題を解決するために、本発明の記録媒体は、上記媒体を構成する基板に、外部応力を加えることによって複数に破壊可能な少なくとも１本の切り込みが設けられている。この切り込みを形成することによって、この切り込み部分に応力を集中させ、媒体の破壊を容易にし、ユーザ自ら記録媒体を破壊する事ができる。
【００１０】
本発明では、上記切り込み形状をＶ字型溝としている。Ｖ字型にすることによって、Ｖ字先端部分への応力集中を大きくさせる事が可能で、切り込み深さを大きくしなくても、媒体破壊が容易になる。
【００１１】
記録媒体は、切り込みに沿って容易に２つに分断可能となっている。データを再生出来ない状態に破損させるためには、２分割でなく、更に分割数を増やす事が望ましい。その破壊用の切り込みの本数は、少なくとも２本以上で平行であってもよいし、ディスク状であれば、ディスク中心を通り、ディスク外周縁部まで続くように放射状に形成された複数の切り込みであってもよい。
【００１２】
切り込みは、基板の片面に記録・再生膜が形成された記録媒体について有効で、上記切り込みが形成された面が、ピックアップによる記録・再生の妨げとならないものに特に有効である。例えば、Ｂｌｕ−ｒａｙ  ｄｉｓｃの場合、１．２ｍｍ厚さの基板の片面上に記録・再生媒体が形成され、この媒体表面に０．１ｍｍ厚さの透明保護膜が形成される。ピックアップは、この０．１ｍｍ厚さの透明保護膜側から記録・再生を行う。この場合、１．２ｍｍ基板の他面側に切り込みを作成する事が可能である。上記厚さから、０．２ｍｍ程度の深さになるように構成すれば、ディスク廃棄の際には、上記切り込みにそって分断するように外部応力を加える事によって、ディスクの破損が可能となる。
【００１３】
この切り込みを形成する場合、ディスク状記録媒体ではディスク中心を通るような切り込みに対して、平行な複数の切り込みを形成させるとデータ破壊に有効である。当然、破壊が細かくなるほど、１ピース当たりのデータ量が少なくなると共に基の形状にも戻す事が困難になるからである。
【００１４】
記録媒体を収納するカートリッジに同様に、破壊用の切り込みを設ける事も可能である。カートリッジは、記録媒体を収納する筐体の一部に、収納した記録媒体を露出させる開口部が形成されるとともに、この開口部を閉塞および開口するようにスライド移動可能となされたシャッターが設けられている。切り込みを設ける場所は、例えば、通常はシャッターによって隠されており、シャッターをスライド移動させて開口部を開口させた状態で見える位置に形成する。この形態によって、通常使用時は、外部応力を加えてもシャッターに保護されて切り込みに破壊される程の力は加わらないが、シャッターを外してから外部応力を加えると、外部応力が直接切り込みに加えられることとなり、カートリッジを破壊できることとなる。この時同時に内蔵されたディスク状記録媒体も破壊するように切り込みを設けておく事によってカートリッジの破壊により、記憶媒体を取り出し、記憶媒体を基板に設けた切り込みに沿って分断するように構成する。この構成によって、カートリッジに収納された記録媒体に対しても、媒体破壊が可能となり、データのセキュリティが向上する。
【００１５】
【実施の形態】
以下、本発明の実施の形態を図面を参照して説明する。
【００１６】
図１は、本発明に係る切り込みに相当するＶ字溝１を入れた光ディスク１１の断面図である。同図の光ディスク１１は、一例で、基板２の片面２ａに、記録膜４、保護層（透明膜）５の順で形成され、基板２の他面２ｂには、Ｖ字溝１が、０．３ｍｍの深さになるように構成されている。中心部には、ディスクセンターホール３が形成されている。この光ディスク１１は、高密度記録に適した方法の１つである表面記録再生ディスクの１種であり、レーザによる記録・再生は、保護膜５側から行われる。すなわち、レーザ光６は基板２の片面側から入射するので、基板２の他面２ｂ側に上記のＶ字溝１を入れても、記録・再生に対する影響はほとんど考慮する必要がない。
【００１７】
図２は、同光ディスク１１を基板２の他面２ｂ側から見たもので、Ｖ字溝１が光ディスク１１の中心を通って９０度の位相で放射状に４本形成されている。この４本に対して、光ディスク１１の周縁端部を固定して光ディスク１１の中心に対して基板２の片面２ａ側からの力を加える事によって、Ｖ字頂点２０に応力が集中し、光ディスク１１が割れる事になる。データの再生が不可能なように構成するためには、出来るだけ細かく分割した方が有効である。これは、図２を見ても明らかなように光ディスク１１の中心を通って放射状にＶ字溝１を形成した光ディスク１１では、破壊した後の破片は、外周に行くほど連続したデータ領域が広くなる（周長が長い）からである。
【００１８】
この光ディスク１１の中心を通って放射状にＶ字溝１を形成した光ディスク１１を破壊する場合、図３に示すように、光ディスク１１の周縁端部を支えるような破壊装置７を構成し、光ディスク１１の中心を垂直な力で押す事によって、Ｖ字溝１が開くように力を加え、一度に細かく分割する事が可能となる。この破壊装置７は、光ディスク１１を周縁８１に形成された段部８１ａで支えるように構成された有底円筒状のディスク保持部材８と、エッジ段部８１ａに光ディスク１１を設けた状態で周縁８１に固定される固定部材９と、光ディスク１１の中心を押す押圧部材１０とから構成されている。同図中では、記録膜４が形成された基板２の片面２ａ側を上に（下側が基板２の他面２ｂ側）して下向きの力を加える事によって光ディスク１１を破壊、廃棄出来る。図３では、ディスク保持部材８が、破壊された光ディスク１１の受け皿となる構成となっている。
【００１９】
図４は、基板２に設けたＶ字溝１が互いに平行となっている光ディスク１１である。この場合の効果としては、破壊した後の破片が長板状となるので、上記した光ディスク１１のように中心を通った放射状のＶ字溝１に沿って破壊した後の破片よりも、連続したトラックがより細かく分割されるからである。この場合も、複数のＶ字溝１を作成することによって効果を増大することが出来る。ただし、このように平行するＶ字溝１を形成した光ディスク１では、図３に示す破壊装置７を用いる事が出来ない。
【００２０】
この平行するＶ字溝１を形成した光ディスク１を作製する場合、従来から基板２の作製のほとんどに利用されている射出成形を用いることができる。この場合、あらかじめ基板２の金型に平行する複数のＶ字溝１を作製しておくことによって、基板２に同形状を転写することができるので、平行する複数のＶ字溝１を形成した基板２を比較的容易に量産することができる。
【００２１】
また、このように平行するＶ字溝１は機械的に加工する事も可能である。例えば、図５に示すようなＶ字カッター２１を持つカッター構造によってＶ字溝１を後から基板２の他面２ｂ側に作成することも可能である。
【００２２】
このＶ字溝１の深さは、基板２の厚さによっても異なるが、一般的なＣＤ用の１．２ｍｍ厚の基板２であれば、Ｖ字溝１の深さは、０．２〜０．３ｍｍ程度が望ましい。この深さによって、破壊する時に必要な力が決まるからである。図２に示したような光ディスク１１の中心を通って放射状にＶ字溝１が形成されたものの場合、３〜５ｋｇ程度の力で破壊可能である。上記本実施の形態では、図３に示すような破壊用構造物を用いているが、３〜５ｋｇ程度であれば、普通の人の力でも破壊が可能であるので、図３のような破壊用構造物がなくても、破壊・廃棄が可能である。
【００２３】
図６および図７は、ディスクカートリッジ１２に於ける実施の形態を示したものである。ディスクカートリッジ１２に収納された光ディスク１１には、上記説明のＶ字溝１が形成され、廃棄が容易になるように構成している。例えば、ＤＶＤ−ＲＡＭ  においては、基本構造としてディスクカートリッジ１２から光ディスク１１を取り出す事が可能なように構成されているので、ディスクカートリッジ１２から容易に取り出す事が可能な光ディスク１１であれば、ディスクカートリッジ１２から取り出してから、光ディスク１１のみ、上記したように破壊して廃棄すれば良い。これと異なり、光ディスク１１がディスクカートリッジ１２から容易に取り出せない場合、ディスクカートリッジ１２が容易に破壊可能なような構造とすれば良い。図６は、その一例で、ディスクカートリッジ１２は、上半体１３と下半体１４とによって光ディスク１１を収納する筐体として形成されており、上半体１３の一部に、収納した光ディスク１１を露出させる開口部１３ａが形成され、この開口部１３ａは、スライド移動するシャッター１５が設けられ、開口部１３ａを閉塞および開口するようになされている。また、下半体１４には、シャッター１５をスライド移動させて上半体１３の開口部１３ａを開口させた状態で、外部応力を加えることによって複数に破壊可能なＶ字溝１４ａが設けられている。このディスクカートリッジ１２において、通常使用時は、上半体１３の開口部１３ａに設けられたシャッター１５によって、シャッター１５とディスクカートリッジ１２との隙間が小さく保持され、かつ、シャッター１５によって下半体１４に設けられたＶ字溝１４ａが隠されるので、Ｖ字溝１４ａに大きな力がかからず、ディスクカートリッジ１２が分解、破壊し難い。しかし、シャッター１５をスライドさせて開口部１３ａを開けた状態では、Ｖ字溝１４ａに対して、大きな破壊力が発生する。
【００２４】
図７に示す状態では、Ｖ字溝１４ａを覆い隠す事によってＶ字溝１４ａに大きな力が加わらないように構成していたシャッター１５が開放されたため、ディスクカートリッジ１２に大きな変形が発生可能であるからである。この場合、収納された光ディスク１１が容易に破壊出来なければ、ディスクカートリッジ１２、光ディスク１１とも破壊出来ないので、光ディスク１１も上記したようにＶ字溝１が形成されて破壊され易い構造であることが好ましい。一般にシャッター１５の開放状態は、記録再生装置内でのみ生じ、この場合、ディスクカートリッジ１２の４隅に近いところ、位置決め孔１６を基準にしてディスクカートリッジ１２が保持される。したがって、記録再生装置外での通常の使用状態において、ディスクカートリッジ１２を分割するような力は発生しないので、ユーザの手によって、強制的にシャッター１５を開放するようにしない限り、ディスクカートリッジ１２の破壊は発生しない。
【００２５】
本実施例では、基板状に設けられた記録媒体で、データの書き込み、または読み込みを記録媒体側に設けたピックアップで行う装置において、特に有効であることを示した。この記録媒体については、光ディスク１１を実施例として示したが、磁気記録媒体のように、媒体面側にピックアップのある記録メディアであっても問題ない。
【００２６】
以上のように、特に高密度記録された光ディスク１１で、媒体面側から記録再生を行う記録再生装置に用いる媒体の廃棄において、本発明の基板構造は特に有効である。
【００２７】
また、本実施の形態において、切り込みは、Ｖ字溝１となされいるが、このような断面Ｖ字型のＶ字溝１に限定されるものではなく、各種断面形状の切り込みであってもよい。
【００２８】
【発明の効果】
以上詳述したように、本発明によれば、ユーザの手による記録媒体の廃棄が容易となり、記録媒体が有している著作権の不正使用、或いは重要ファイル、機密ファイルの流出を防ぐことが可能である。
【図面の簡単な説明】
【図１】本発明に係る記録媒体の一実施形態である光ディスクの全体構成の概略を示す断面図である。
【図２】図１の斜視図である。
【図３】上記光ディスクの廃棄装置の概略構成を示す断面図である。
【図４】本発明に係る記憶媒体の一実施形成である光ディスクの他の実施の形態を示す斜視図である。
【図５】図４に示す光ディスクにＶ字溝を形成する状況を説明する図である。
【図６】上記光ディスクを収納するカートリッジに設けられたＶ字溝とシャッターとの関係において、シャッターが閉じた状態を示す図である。
【図７】上記光ディスクを収納するカートリッジに設けられたＶ字溝とシャッターとの関係において、シャッターが開放された状態を示す図である。
【符号の説明】
１  Ｖ字溝（切り込み）
２  基板
２ａ  片面
２ｂ  他面
４  記録膜
１１  光ディスク（記録媒体）
１２  ディスクカートリッジ
１３ａ  開口部
１４ａ  Ｖ字溝（切り込み）
１５  シャッター
【図１】
2004326895.tif 000003
【図２】
2004326895.tif 000004
【図３】
2004326895.tif 000005
【図４】
2004326895.tif 000006
【図５】
2004326895.tif 000007
【図６】
2004326895.tif 000008
【図７】
2004326895.tif 000009